(57)【特許請求の範囲】
【請求項１】
浴槽本体（２）の上部に上カバー（４）が移動固定可能に設けられたシャワー入浴装置（１）において、上カバー（４）の手前端に胸シャワーノズル（７）が設けられ、上カバー（４）の奥部はカバー軸（５）に軸支され、該カバー軸（５）と浴槽本体（２）とにはストッパー弁付きのダンパー（６）が取り付けられ、該ダンパー（６）を作動させ、患者の体格に合わせて上カバー（４）の開角度を任意に変更調節して設定し、上カバー（４）の設定角度に従って設定された胸シャワーノズル（７）からのシャワーを患者の胸に掛け加温することを特徴とするシャワー入浴装置。
【請求項２】
浴槽本体（２）の上部に上カバー（４）が移動固定可能に設けられたシャワー入浴装置（１）において、浴槽本体（２）の前面は、患者が出入りする為の開閉可能な扉（３）に構成され、該扉（３）は、下壁（３ａ）と、扉（３）の開閉とは別に開閉する上壁（３ｂ）とからなり、該上壁（３ｂ）を開け患者の洗髪を行うことを特徴とするシャワー入浴装置。
【請求項３】
扉（３）に、患者が頭部を凭れ掛ける枕（４２）が起立位置と後倒位置とに切り替え可能に取り付けられ、洗髪時には該枕（４２）を後倒位置に設定することを特徴とする請求項２記載のシャワー入浴装置。
【請求項４】
浴槽本体（２）の側壁（８）の外側に手摺り（２９）が取り付けられ、該手摺り（２９）は車椅子（３０）に乗った患者を洗浄する時に当該患者が掴み、身体の安定を図りながら立位姿勢をとるものであり、介護者は手摺り（２９）に掴まった患者の身体を安全に支えながら洗浄を行うことを特徴とする請求項１乃至３のいずれか一項に記載のシャワー入浴装置。
【請求項５】
浴槽本体（２）内には、足シャワーノズル（１０）と、膝シャワーノズル（１１）と、股シャワーノズル（１２）と、臀部シャワーノズル（１３）と、胸シャワーノズル（７）と、背シャワーノズル（１４）と、肩掛けシャワーノズル（９）が設けられ、更に、浴槽本体（２）に前記各シャワーノズルを作動させる制御部（２４）が設けられ、前記制御部（２４）は、タイムラグ機能（２６）により使用開始時に各シャワーノズルを設定順序に開口させるものであることを特徴とする請求項１記載のシャワー入浴装置。
【請求項６】
肩掛けシャワーノズル（９）は、浴槽本体（２）の左右の側壁（８）の内側にそれぞれ可動腕（５１）により回動可能に支持され、その向きが変更調節設定されるものであることを特徴とする請求項５記載のシャワー入浴装置。
【請求項７】
浴槽本体（２）内に、湯を溜める足受け皿（２８）が設けられ、足受け皿（２８）には各シャワーノズルから噴出したシャワーが溜まり、足受け皿（２８）内の湯で患者の足を温めるものであることを特徴とする請求項５記載のシャワー入浴装置。
【発明の詳細な説明】
【０００１】
【発明の属する技術分野】
本発明は、シャワー入浴する養護老人や運動機能障害者（以下患者という）に入浴感の高いシャワー入浴又は湯中入浴を施すシャワー入浴装置に関する。
【０００２】
【従来の技術】
従来技術に特開平７−３０８３５５号公報があり、該公報には、収容槽と、開閉可能な全面壁と、上面壁に設ける窓孔と、給湯装置に接続された導水管と、導水管に設けたノズルと、上下移動する椅子とからなる身体洗浄装置が開示されている。
【０００３】
【発明が解決しようとする課題】
従来技術の上面壁は収容槽に固定的に形成されており、患者の座高等の体格の差異に対して、予め椅子の高さを調節して対応するものである。
前記従来技術の課題の第１は、上面壁は固定的に形成されているので、患者の体格に合わせて上面壁の開角度を調節するということはできないものであり、患者ごとに好適に収容槽に入れることが困難であった。
【０００４】
課題の第２は、ノズルの向きは固定的なものであるから、シャワーを胸位置に患者ごとに好適に向けることが困難であった。
課題の第３は、収容槽外の近傍で予洗をする場合、収容槽外壁に患者が掴む手摺り等がなく、臀部を洗浄する時に患者を立ち上がらせるが、その動作が不安定であり困難であり、又、患者に恐怖感を与えていた。
【０００５】
課題の第４は、肩に専用に掛けるシャワーが無い為、患者は肩が外気に冷却され、温感に乏しいという欠点がある。課題の第５は、シャワー入浴を開始する時に、複数ノズルを所定順に作動を開始させる制御機構がなく、全ノズルから同時にシャワーが噴出する。この様な噴出状態では、心臓や肺へ掛ける負担が大き過ぎ、又、患者に恐怖感を与えるという欠点がある。
【０００６】
課題の第６は、患者の足を特別に多く加温する構成が無く、人体の抹消である足の加温感がもの足りないという、欠点があった。
課題の第７は、収容槽内の患者に対して洗髪を行なう場合、患者の頭部姿勢を後傾変更させるための構成が無く直立姿勢でせざるを得ない。直立姿勢で洗髪する場合は、シャンプーハット等を付けなければならず、患者にとっては楽ではなく、洗髪介助もしにくいという欠点があった。
【０００７】
本発明の目的は、上記課題を解決したものであり、シャワーを好適な位置に掛け心臓や肺へ過大な負担を掛けない様にして、介助作業がやり易く、温感を高めたシャワー入浴装置を提供することにある。
【０００８】
【課題を解決しようとする手段】
即ち本発明は、浴槽本体（２）の上部に上カバー（４）が移動固定可能に設けられたシャワー入浴装置（１）において、上カバー（４）の手前端に胸シャワーノズル（７）が設けられ、上カバー（４）の奥部はカバー軸（５）に軸支され、該カバー軸（５）と浴槽本体（２）とにはストッパー弁付きのダンパー（６）が取り付けられ、該ダンパー（６）を作動させ、患者の体格に合わせて上カバー（４）の開角度を任意に変更調節して設定し、上カバー（４）の設定角度に従って設定された胸シャワーノズル（７）からのシャワーを患者の胸に掛け加温することを特徴とするシャワー入浴装置である。又、浴槽本体（２）の上部に上カバー（４）が移動固定可能に設けられたシャワー入浴装置（１）において、浴槽本体（２）の前面は、患者が出入りする為の開閉可能な扉（３）に構成され、該扉（３）は、下壁（３ａ）と、扉（３）の開閉とは別に開閉する上壁（３ｂ）とからなり、該上壁（３ｂ）を開け患者の洗髪を行うものである。更に、扉（３）に、患者が頭部を凭れ掛ける枕（４２）が起立位置と後倒位置とに切り替え可能に取り付けられ、洗髪時には該枕（４２）を後倒位置に設定する。更に又、浴槽本体（２）の側壁（８）の外側に手摺り（２９）が取り付けられ、該手摺り（２９）は車椅子（３０）に乗った患者を洗浄する時に当該患者が掴み、身体の安定を図りながら立位姿勢をとるものであり、介護者は手摺り（２９）に掴まった患者の身体を安全に支えながら洗浄を行う。又、浴槽本体（２）内には、足シャワーノズル（１０）と、膝シャワーノズル（１１）と、股シャワーノズル（１２）と、臀部シャワーノズル（１３）と、胸シャワーノズル（７）と、背シャワーノズル（１４）と、肩掛けシャワーノズル（９）が設けられ、更に、浴槽本体（２）に前記各シャワーノズルを作動させる制御部（２４）が設けられ、前記制御部（２４）は、タイムラグ機能（２６）により使用開始時に各シャワーノズルを設定順序に開口させるものである。更に、肩掛けシャワーノズル（９）は、浴槽本体（２）の左右の側壁（８）の内側にそれぞれ可動腕（５１）により回動可能に支持され、その向きが変更調節設定されるものである。又、浴槽本体（２）内に、湯を溜める足受け皿（２８）が設けられ、足受け皿（２８）には各シャワーノズルから噴出したシャワーが溜まり、足受け皿（２８）内の湯で患者の足を温める。
【０００９】
【発明の実施の形態】
本発明を使用してシャワー入浴又は湯中入浴を行なうが、その際、浴槽本体２の上カバー４は、移動及びその固定が可能である。
上カバー４は、奥部に設けられたカバー軸５を支点に回動し、患者ごとに好適な位置で固定する。
上カバー４の手前端に設けられる胸シャワーノズル７から、患者の胸に向かってシャワーを噴出させる。胸シャワーノズル７の向きは上カバー４の設定角度に伴って設定され、更に、手動で胸シャワーノズル７の向きを変更調節し設定する。
【００１０】
浴槽本体２の前面に設けられる扉３は、患者が出入りする浴槽本体２を開閉する。扉３の上方部に形成される上壁３ｂは、患者を洗髪する時に開け、患者の頭部を後傾姿勢にさせる際に好都合である。
浴槽本体２の側壁８の外側に設けられた手摺り２９は、患者を浴槽本体２の外で予洗する時に、患者が掴まり該患者を支える。
【００１１】
浴槽本体２の左右の側壁８の内側に回動可能に設けられた肩掛けシャワーノズル９は、シャワーを噴出し患者の肩に当該シャワーを掛ける。シャワーの噴出方向は手動で調節する。
【００１２】
制御部２４は、使用開始時に、足シャワーノズル１０と、膝シャワーノズル１１と、股シャワーノズル１２と、臀部シャワーノズル１３と、胸シャワーノズル７と、背シャワーノズル１４と、肩シャワーノズル１２の各シャワーノズルを所定順序に開口する。
浴槽本体２内に設けられ湯を溜める足受け皿２８は、この中の湯に浸かる患者の足を温める。
又、前記扉３に取り付けられた枕４２は、前後に移動し適宜位置に固定できる。
【００１３】
【実施例】
本発明の実施例のシャワー入浴装置１は、患者を収容する浴槽本体２の前面が、患者が出入りする開閉可能な扉３とされ、該扉３は、下壁３ａと、扉３の開閉とは別に開閉する上壁３ｂとからなり、該上壁３ｂは患者が洗髪をする時に開けるものである。
上壁３ｂは、下壁３ａに設けられた左右の溝５０に、上下動可能に保持されており、下壁３ａの外側に添って該下壁３ａに被さるごとくに下方へ所定距離だけ移動して開扉するものである。
前記扉３の上部に、枕アーム５２に支持された枕４２が移動固定可能に取り付けられる。
【００１４】
浴槽本体２の上部に上カバー４が設けられ、上カバー４の奥部がカバー軸５によって軸支され、カバー軸５と浴槽本体２とにはストッパー弁付きのダンパー６が取り付けられ、ダンパー６を適宜作用させ該上カバー４を患者に合わせた角度に調節設定する。
上カバー４の前端に胸シャワーノズル７がノズル向き可変に設けられ、上カバー４の設定角度に従って胸シャワーノズル７の位置が決まり、シャワーの噴出方向は胸シャワーノズル７を手動で動かし調節設定し、患者の胸にシャワーを掛ける。
胸シャワーノズル７から噴出するシャワーの量を調節する胸シャワー調節バルブ４３が胸シャワーノズル７の上流管路に設けられる。
胸へ掛けるシャワーは、当該患者へ強い刺激を与えるので、胸シャワーノズル７の方向及び湯量の調節をして好適な状況の下で実施する。
【００１５】
浴槽本体２の左右の側壁８の内側にそれぞれ肩掛けシャワーノズル９がノズル向き可変に設けられ、シャワーの噴出方向は肩掛けシャワーノズル９を手動で動かして調節設定して、患者の肩にシャワーを掛ける。
【００１６】
浴槽本体２内には、前記肩掛けシャワーノズル９の他に、足シャワーノズル１０と、膝シャワーノズル１１と、股シャワーノズル１２と、臀部シャワーノズル１３と、背シャワーノズル１４が設けられる。全てのシャワーノズルにはそれぞれ電磁弁１５が取り付けられる。
【００１７】
浴槽本体２の底部に排水弁１６が設けられ、シャワー入浴をする場合には開いているが、湯中に浸かる湯中入浴をする場合は前記排水弁１６を閉じる。
浴槽本体２の上部に、浴槽本体２に湯を入れる給湯栓１９及び浴槽本体２内の湯を加温する加温栓２０が設けられる。
【００１８】
側壁８の上部に操作パネル１８が設けられ、該操作パネル１８に前記排水弁１６の開閉を指示する排水スイッチ１７と、前記給湯栓１９の開閉を指示する給湯スイッチ２１と、前記加温栓２０の開閉を指示する加温スイッチ２２とが設けられ、前記給湯栓１９は湯中入浴をする場合に開けられ給湯される。
前記各シャワーノズル及び給湯栓１９には、湯水を混合する混合栓２３で混合された適温湯が供給されている。
【００１９】
浴槽本体２の適宜個所に制御部２４が設けられ、使用開始時に各シャワーノズルを所定順序に開口し、前記各シャワーノズルから湯を噴出する。
前述の開口制御では、心臓及び肺から遠い位置にあるシャワーノズルから順次開口しシャワーを開始し、心臓及び肺から遠い身体部位からシャワーを掛ける。
【００２０】
複数の前記電磁弁１５は、マイクロコンピューター２５のタイムラグ機能２６に制御されて、所定の順序で作動し上述の様な順番で各シャワーズルを開口させるものである。
前記混合栓２３は、手動で設定した所定温度の湯を作る。
【００２１】
浴槽本体２内の奥下部に湯を溜める足受け皿２８が設けられ、これに患者が足を入れ温める。
側壁８の外側に手摺り２９が設けられ、車椅子３０に乗った患者を洗浄する時に、該手摺り２９に患者が掴まり、身体の安定を図りながら、立位姿勢をとるものである。
【００２２】
図１中、３３はスロープ、３４はハンドシャワー、３５は肩掛けシャワーノズル９から噴出するシャワーの湯量を調節する肩掛けシャワー調節バルブ、３６はドアロック機構、３７は洗浄液タンク、３８はハンドシャワー用ミキシングバルブ、３９は温度表示器、４１は上カバー４の手前縁に設けられ、緊急時に全電磁弁１５を閉止しシャワーを停止する緊急停止スイッチである。
【００２３】
更に、図１中、２７はシャワーノズルの周囲に設けられシャワーノズルに当って怪我をしない為の患者保護用のドーナツ状ゴム、４２は起立位置と後倒位置とに切り替えることができる枕、４４は肩掛けシャワーを単独に噴出させる肩掛けスイッチ、４５は洗浄スイッチ、４６は制御部２４を介して各シャワーを開始させる入浴スイッチ、４７は電源スイッチ、４８は混合湯に消毒液を混入させる消毒スイッチ、４９は上カバー取っ手、５１は肩掛けシャワーノズル９を移動可能に支持する可動腕である。
図２中、３１は患者が一時的に足を置く仮足台、３２は通常的に足を置くフットレストである。
図３中、４０はシャワーに混入させる消毒液を貯留する消毒液タンクである。
【００２４】
実施例の使用に際して、扉３を開け、車椅子３０に乗った患者を浴槽本体２に入れる。この時、患者の足を車椅子３０の仮足台３１へ載せ、フットレスト３２を回動させて垂直方向としておいて、浴槽本体２内に進入し、車椅子３０を浴槽本体２内に完全に入れた後、患者は足を足受け皿２８に降ろして入れる。
【００２５】
上カバー４を患者の首の高さに合わせ設定し、その後、制御部２４の指示により、足シャワーノズル１０、膝シャワーノズル１１、股シャワーノズル１２、臀部シャワーノズル１３、胸シャワーノズル７、背シャワーノズル１４、肩掛けシャワーノズル９の順に、これらのノズルを適宜な時間遅れをもって開け、シャワーを噴出させる。
【００２６】
各シャワーノズルから噴出するシャワーを、患者の足、膝、股、胸、背、肩及びそれらの周辺に掛ける。
胸シャワーノズル７及び肩掛けシャワーノズル９を手動で動かし、そのシャワーの噴出方向を適宜に変更調節する。
胸シャワー調節バルブ４３及び肩掛けシャワー調節バルブ３５を調節して、胸シャワー及び肩掛けシャワーの湯量を好適に調節する。
【００２７】
各シャワーノズルから噴出したシャワーは足受け皿２８に適宜に入って溜り、患者の足を温める。足受け皿２８に湯を入れる他の例としては、図示を省略するが、特別に湯を供給する手段を設けるもの、或いは、シャワーを収集する漏斗を設け、漏斗で集めた湯を足受け皿２８へ入れるもの、等がある。
【００２８】
【発明の効果】
本発明は、浴槽本体２の上部に上カバー４が移動固定可能に設けられたものであるから、患者の体格に合わせて上カバー４を適切な位置に変更設定できる。従って、患者を好適に囲って良好に保温でき、入浴感を高めることができ、好都合である。
【００２９】
本発明は、浴槽本体２の上カバー４の奥部がカバー軸５によって軸支され該上カバー４の開角度が調節可能であるから、患者の体格に合わせて上カバー４を適切な角度に変更設定できる。従って、上カバー４の開角度の調節及び設定が容易にでき、良好な保温により入浴感を高めることができ、好都合である。
【００３０】
本発明は、上カバー４の手前端に胸シャワーノズル７が設けられ、上カバー
４の設定角度に従って胸シャワーノズル７の位置が設定されるので、シャワーは胸に好適に掛ることになり、患者の胸をシャワーで加温し入浴感を向上でき、好都合である。
【００３１】
本発明における扉３は、下壁３ａと、扉３の開閉とは別に開閉する上壁３ｂとからなり、扉３を閉めた後に上壁３ｂだけを開けることができる。従って、患者が洗髪をする時に、上壁３ｂを開けると患者は頭部を後傾姿勢にすることができ洗髮を行ない易く、好都合である。
【００３２】
本発明は、扉３に、患者が頭部を凭れ掛ける枕４２が移動可能に取り付けられたものであるから、通常シャワー浴時には患者の頭を立位状態にして安定に良好に支持でき、洗髪時には患者の頭を後倒状態にして安楽に良好に支持でき且つ洗髪介助作業も行ないやすく、好都合である。
【００３３】
本発明は、側壁８の外側に手摺り２９が設けられたので、車椅子３０に乗った患者を洗浄する時に、該手摺り２９に掴まって身体を安全に支えながら洗浄が容易に且つ確実に行なえる事となり、好都合である。
【００３４】
本発明は、浴槽本体２内に設けられた、足シャワーノズル１０、膝シャワーノズル１１、股シャワーノズル１２、臀部シャワーノズル１３、胸シャワーノズル７、背シャワーノズル１４、肩掛けシャワーノズル９を所定順序に開口する制御部２４が設けられたので、患者の心臓や肺に過大な負担を掛けること無く、安全に快適にシャワーを浴びせて加温でき、好都合である。
【００３５】
本発明は、浴槽本体２の左右の側壁８の内側に回動可能に肩掛けシャワーノズル９が設けられ、シャワーの向きを調節して患者の肩にシャワーを掛けることができるので、患者の肩を好適に加温し入浴感を向上でき、好都合である。
【００３６】
本発明は、浴槽本体２内に、湯を溜める足受け皿２８が設けられ、この足受け皿２８に患者の足を入れるものであるから、足受け皿２８内の湯で足を加温し入浴感を高めることができ、好都合である。
【図面の簡単な説明】
【図１】本発明実施例の斜視図である。
【図２】本発明実施例の左側断面図である。
【図３】本発明実施例の配管系統図である。
【符号の説明】
１    シャワー入浴装置
２    浴槽本体
３    扉
３ａ  下壁
３ｂ  上壁
４    上カバー
５    カバー軸
７    胸シャワーノズル
８    側壁
９    肩掛けシャワーノズル
１０    足シャワーノズル
１１    膝シャワーノズル
１２    股シャワーノズル
１３    臀部シャワーノズル
１４    背シャワーノズル
２４    制御部
２８    足受け皿
２９    手摺り
３０    車椅子
４２    枕
【図１】
0003578428.tif 000002
【図２】
0003578428.tif 000003
【図３】
0003578428.tif 000004